(57)【要約】【課題】  構造が簡単で組み立てが容易であり、製造コストを低減させることができるほか、それ自身で形成された構造によって安定したスライド開閉が可能な携帯電子製品用ケース装置を提供すること。【解決手段】  携帯電子製品用ケース装置において、対向した両側にそれぞれ第１スライド構造が形成され、少なくとも１つの位置決め構造が形成されるケースと、該ケースに配設され、両側にそれぞれ第１スライド構造と結合できる第２スライド構造が形成され、かつ内面にケースの位置決め構造と結合できる位置決め体が形成され、該ケースにおいて開放位置または閉合位置にスライドするように位置決めされる蓋、とを備えることを特徴とする携帯電子製品用ケース装置。【選択図】  図１
0003109607.tif 000002
【実用新案登録請求の範囲】
【請求項１】
携帯電子製品用ケース装置において、
（１）対向した両側にそれぞれ第１スライド構造が形成され、少なくとも１つの位置決め構造が形成されるケースと、
（２）前記ケースに配設され、両側にそれぞれ第１スライド構造と結合できる第２スライド構造が形成され、かつ内面にケースの位置決め構造と結合できる位置決め体が形成され、該ケースにおいて開放位置または閉合位置にスライドするように位置決めされる蓋
とを備えることを特徴とする携帯電子製品用ケース装置。
【請求項２】
ケースの両側に形成された第１スライド構造がガイド溝である、請求項１に記載の携帯電子製品用ケース装置。
【請求項３】
蓋の第２スライド構造がスライド軌道である、請求項１又は２に記載の携帯電子製品用ケース装置。
【請求項４】
蓋のスライド軌道がケースのガイド溝に嵌合される、請求項３に記載の携帯電子製品用ケース装置。
【請求項５】
ケースの両側に形成された第１スライド構造がスライド軌道である、請求項１に記載の携帯電子製品用ケース装置。
【請求項６】
蓋の第２スライド構造がガイド溝である、請求項１又は５に記載の携帯電子製品用ケース装置。
【請求項７】
蓋のガイド溝がケースのスライド軌道に嵌合される、請求項６に記載の携帯電子製品用ケース装置。
【請求項８】
ケースの位置決め構造が隅にある斜平滑面であり、該斜平滑面の両端に位置決め面が形成される、請求項１に記載の携帯電子製品用ケース装置。
【請求項９】
蓋の位置決め体が三角バンプである、請求項１又は８に記載の携帯電子製品用ケース装置。
【請求項１０】
蓋の三角バンプがケースの斜平滑面に偏ってスライドし、該斜平滑面の両端に形成された位置決め面が蓋の開放又は閉合の位置決め点である、請求項９に記載の携帯電子製品用ケース装置。
【考案の詳細な説明】
【技術分野】
【０００１】
本考案は、携帯電子製品用ケース装置に関する。
【背景技術】
【０００２】
通常、マルチメディアシステム、通信システム、コンピュータシステム、ネットワークシステムなどのシステムでは、デジタル内容の形式で存在するデータを記憶媒体によって記憶することができるとともに、データのアクセスやデータの転送も可能である。このようなシステムについて、軽薄かつ短小な装置への使用者の要求に応じて、記憶媒体がより大きく、アクセス速度や体積がより小さい、例えば、いわゆるスラッシュメモリやモバイルドライブ等が既に数多く市場に出回っている。
【０００３】
一般的に、記憶媒体はケース装置に設けられ、該ケース装置にはケースと蓋との間にスライド軌道部材が設けられている。該スライド軌道部材には、安定したスライドストロークの提供とともに、適切に位置決めをするための能力が求められ、このようなスライド軌道部材の存在によって、記憶媒体をスライド自在に位置決め可能な状態で収容することができる。こうして該記憶媒体は使用者が携帯するための製品形態となる。
【０００４】
ここで、前記のごとき従来の製品形態では、携帯電子製品用ケース装置には、ケースと蓋との間に記憶媒体をスライド自在に位置決め可能な状態で収容するための部材、すなわち、スライド軌道部材の増設が別途必要である。しかしながらこの場合、ケースと蓋との間におけるスライド軌道部材自身の構造が安定しておらず、かつ大きな支持面がないため、安定的なスライド及び適切な位置決め効果を図ることができない。
【０００５】
同時に、有効的に位置決めをするためには、前記スライド軌道部材がそれぞれケース及び蓋に接続される必要があり、その構造がより複雑となる。また該スライド軌道部材の位置決め構造が複雑であるため、製造コストの上昇にも繋がる。したがって、この種の従来のケース装置は構造が複雑であり、構造強度が低下して損壊や組み立ての困難を招き、さらに製造コストの上昇に伴い、全体的なコストも上昇してしまう。
【０００６】
このように前記従来のケース装置には、構造が複雑であり、支持面の不足や組み立ての困難、さらには製造コストの上昇といった種々の欠点があるため、従来の携帯電子製品用ケース装置による不便さの解消は、極めて重要な課題である。
【考案の開示】
【考案が解決しようとする課題】
【０００７】
本考案は、構造が簡単で組み立てが容易であり、製造コストを低減させることができるほか、それ自身で形成された構造によって安定したスライド開閉が可能な携帯電子製品用ケース装置を提供することを課題とする。
【課題を解決するための手段】
【０００８】
本考案の携帯電子製品用ケース装置は、対向した両側にそれぞれ第１スライド構造が形成され、少なくとも１つの位置決め構造が形成されるケースと、該ケースに配設され、両側にそれぞれ第１スライド構造と結合できる第２スライド構造が形成され、かつ内面にケースの位置決め構造と結合できる位置決め体が形成され、該ケースにおいて開放位置または閉合位置にスライドするように位置決めされる蓋、とを備えることを特徴とするものである。
【０００９】
このように本考案の携帯電子製品用ケース装置では、蓋の両側にそれぞれケースの第１スライド構造と結合できる第２スライド構造が形成されることにより、該蓋が前後にスライド開閉し、また蓋の内面に位置決め体が形成され、該蓋の位置決め体とケースの位置決め構造とが結合されることで、蓋がケースに位置決めされてスライド開閉が可能となる。
【００１０】
また、ケースの両側に第１スライド構造が直接形成され、同様に蓋の両側に第２スライド構造が直接形成されることで、該ケースの第１スライド構造と蓋の第２スライド構造とが直接結合され、蓋がスライド開閉可能となるので、本考案の携帯電子製品用ケース装置では、余分な構造がなく簡素化され、製造コストが低減される。
【００１１】
また、ケースに位置決め構造が直接形成され、蓋内に位置決め体が直接形成されることにより、同様に構造が簡素化され、製造コストが低減される。このように本考案の携帯電子製品用ケース装置は、それ自身で形成された構造によって安定したスライド開閉が可能なものである。
【００１２】
さらに、蓋の第２スライド構造とケースの第１スライド構造との間に大きな接触面があり、該蓋内の位置決め体がケースの位置決め構造に偏ることで、蓋が安定してスライド開閉し、良好なスライド効果が得られる。
【考案の効果】
【００１３】
本考案の携帯電子製品用ケース装置では、従来のケース装置の複雑な構造や支持面の不足、製造にかかる高コスト等の欠点を解消することができ、構造の簡素化、組み立ての容易性の向上、製造コストの低減に寄与するとともに、より良好な安定したスライド開閉効果を得ることができる。
【考案を実施するための最良の形態】
【００１４】
次に、本考案の携帯電子製品用ケース装置の好適な一実施態様を、図面を用いて具体的に説明するが、本考案に係る実質的な技術内容は、図面に示された実施形態に限定されるものではなく、本考案の技術思想の範囲内で種々の修飾や変更が可能であり、こうした修飾や変更は本考案の技術範囲に含まれるものである。
【実施例１】
【００１５】
図１は、本考案に係る携帯電子製品用ケース装置の一実施態様を示す概略斜視図であり、図２は該携帯電子製品用ケース装置の一実施態様を示す概略断面図である。図１及び図２において、１はケース、２は該ケース１に装着される蓋である。
【００１６】
ケース１において、対向した両側にそれぞれ第１スライド構造１１が形成され（一方の第１スライド構造は符号１１で示さず）、該第１スライド構造１１はガイド溝である。蓋２の断面は「コ」の字形となり、その両側にそれぞれ第２スライド構造２１が形成されている。該第２スライド構造２１はスライド軌道であり、該第２スライド構造２１がケース１の第１スライド構造１１に対応して形成されている。図３の概略側面図に示すように、蓋２のスライド軌道状の第２スライド構造２１が、ケース１のガイド溝状の第１スライド構造１１内に嵌合されることで、図４Ａ及び図４Ｂの概略斜視図に示すように、蓋２がケース１に対してスライド開閉可能となる。
【００１７】
ケース１の上方両側の隅に位置決め構造１２が設けられており、該位置決め構造１２は斜平滑面であり、該斜平滑面の両端に位置決め面１２ａが形成されている。蓋２の内面に、該位置決め構造１２と結合できる位置決め体２２、例えば三角バンプが形成され、該蓋２の位置決め体２２とケース１の位置決め構造１２とが結合されることで、図３に示すように、蓋２の位置決め体２２が斜平滑面の位置決め構造１２にスライド可能に偏り、かつ位置決め構造１２の斜平滑面両端の位置決め面１２ａにより開閉可能に位置決めされる。すなわち、位置決め面１２ａが蓋２の開放又は閉合の位置決め点となる。
【００１８】
本考案においては、ケース１におけるガイド溝状の第１スライド構造１１と、「コ」の字形である蓋２における両端下方のスライド軌道状の第２スライド構造２１とが直接形成されているので、従来のように余分な構造、すなわち、スライド軌道部材を組み立てる手間を回避することができるとともに、構造が簡素化され、製造コストを低減することができる。
【００１９】
またケース１の上方両側にある斜平滑面状の位置決め構造１２と、蓋２の内面にある三角バンプ状の位置決め体２２とが直接形成されているので、前記と同様に、余分な構造を組み立てる手間を回避することができる。したがって、本考案に係る携帯電子製品用ケース装置は組み立てが容易である。
【００２０】
ケース１のガイド溝状の第１スライド構造１１と蓋２のスライド軌道状の第２スライド構造２１との間の接触面積が大きいので、蓋２を安定して前後にスライドさせることができる。しかも、蓋２の内面にある三角バンプ状の位置決め体２２はケース１の斜平滑面状の位置決め構造１２を偏るように押えることができる。該蓋２への力学分析によると、図５の模式図に示すように、その下方両側にある第２スライド構造２１は下向きの引っ張り力（作用力）Ｆ１があり、位置決め体２２においては上向きの逆作用力Ｆ２があるので、上下の両作用力Ｆ１とＦ２とが相互バランスを築いている。このように、蓋２が安定してケース１に装着されることで、組み立ての隙間によって揺れ動くことが回避され、蓋２を安定してスライドさせることができる。
【００２１】
また、蓋２は位置決め体２２及びスライド軌道状の第２スライド構造２１における上下の両作用力によってケース１に挟持されることで、スライド可能に任意に位置決めされ、ケース１における斜平滑面両端の位置決め面１２ａのみによってその位置が制限される。したがって、蓋２が勝手にスライドすることが回避され、従来のように突出点が位置決めによって磨耗し易いといった問題が解決されるとともに、蓋２が開閉や位置決めできずに誤作動を招くことも回避される。
【００２２】
なお本考案に係る携帯電子製品用ケース装置においては、ケース１の第１スライド構造１１がスライド軌道で、蓋２の第２スライド構造２１がガイド溝であり、蓋２のガイド溝がケース１のスライド軌道に嵌合され、ケース１のスライド軌道が蓋２のガイド溝に偏ってスライドしてもよい。これは構造の倒置の実施であるが、前記と同様に蓋２を安定してスライド開閉させるという目的を充分に達成することができる。
【産業上の利用可能性】
【００２３】
本考案の携帯電子製品用ケース装置は、種々の携帯電子製品の携帯ケースとして利便性よく使用することができる。
【図面の簡単な説明】
【００２４】
【図１】本考案に係る携帯電子製品用ケース装置の一実施態様を示す概略斜視図である。
【図２】本考案に係る携帯電子製品用ケース装置の一実施態様を示す概略断面図である。
【図３】本考案に係る携帯電子製品用ケース装置において、ケースと蓋とを組み合わせた際の概略側面図である。
【図４Ａ】本考案に係る携帯電子製品用ケース装置において、蓋を開放した際の概略斜視図である。
【図４Ｂ】本考案に係る携帯電子製品用ケース装置において、蓋を閉合した際の概略斜視図である。
【図５】本考案に係る携帯電子製品用ケース装置において、蓋が力を受けた状態の模式図である。
【符号の説明】
【００２５】
１  ケース
１１  第１スライド構造
１２  位置決め構造
１２ａ  位置決め面
２  蓋
２１  第２スライド構造
２２  位置決め体
【図１】
0003109607.tif 000003
【図２】
0003109607.tif 000004
【図３】
0003109607.tif 000005
【図４Ａ】
0003109607.tif 000006
【図４Ｂ】
0003109607.tif 000007
【図５】
0003109607.tif 000008